(57)【要約】【課題】  紙粉除去を確実に行うことができる給紙搬送装置を提供する。【解決手段】  レジストローラ対３に対面して紙粉取り機能を有する紙粉回収容器４を配置した給紙搬送装置において、紙粉回収容器４の開口部に向けてエアを吹き付けるエア吹き付け手段１１、１２、１３を備えた。【選択図】  図１
2006240754.tif 000002
【特許請求の範囲】
【請求項１】
レジストローラ対を構成する一方のレジストローラの周面に摺接して紙粉を除去する紙粉取りブレードと、該紙粉取りブレードに連設されて除去された紙粉を収容する紙粉回収容器と、を備えた給紙搬送装置において、紙粉回収容器の開口部に向けてエアを吹き付けるエア吹き付け手段を備えたことを特徴とする給紙搬送装置。
【請求項２】
請求項１記載の給紙搬送装置において、前記エア吹き付け手段がエアを吹き付けるタイミングを設定するタイマを備えたことを特徴とする給紙搬送装置。
【請求項３】
請求項１記載の給紙搬送装置において、前記エア吹き付け手段を、エアノズル、エアパイプ、及びエアタンクから構成し、該エアタンクを該エアパイプに対して着脱自在に設けたことを特徴とする給紙搬送装置。
【請求項４】
請求項１記載の給紙搬送装置において、表面が粘着性のエアフィルタを吸い込み口に設けたファンを設け、エアフィルタを紙粉回収容器の開口部に臨ませたことを特徴とする給紙搬送装置。
【請求項５】
請求項１記載の給紙搬送装置が搭載されたことを特徴とする画像形成装置。
【発明の詳細な説明】
【技術分野】
【０００１】
本発明は、用紙を給紙部から給紙し、あるいは用紙搬送経路で用紙を搬送する給紙搬送装置及びこの給紙搬送装置を備えた複写機、ファクシミリ装置、プリンタなどの画像形成装置に関する。
【背景技術】
【０００２】
従来例の不具合を図４に基いて説明する。図４は従来例に係る給紙搬送装置の外観斜視図である。この図は具体的にはレジストローラ部を示している。
用紙Ｐは所定の上下間隔を隔てて対向配置された２枚の板からなる上流側搬送ガイド１の間を通過して、モータ２により回転駆動されるレジストロ−ラ対３の間を通過するのであるが、近年、用紙Ｐとしてリサイクルの観点から上質紙よりも再生紙が多用されており、この再生紙はその性質上、紙粉が発生し易いという欠点がある。
即ち、用紙Ｐがレジストロ−ラ対３に接する時、紙粉が発生し、その紙粉がレジストロ−ラ表面に張り付く。そして張り付き量が多くなるとその紙粉が用紙に再転写され、作像部に搬送されていき画質に悪影響を及ぼす。
このような不具合を予防するために、先端縁にてレジストロ−ラ対３に摺接する紙粉取りブレード４−１と、ブレード４−１と連設された紙粉回収容器４とを設置し、ブレード４−１がレジストロ−ラ対３の表面から掻き落した紙粉を紙粉回収容器４に溜めておくようにしている。
【発明の開示】
【発明が解決しようとする課題】
【０００３】
しかし連続した給紙により、紙粉が発生し易い材質の用紙を用いると、すぐに紙粉回収容器４がいっぱいになってしまい、紙粉回収容器の開口部が紙粉取り込みのため広く開いていることとあいまって、開口部から紙粉の固まりが用紙面上にころがり落ち、画質に著しい悪影響を及ぼすことがある。
そこで本発明は、紙粉除去を確実に行うことができる給紙搬送装置及び画像形成装置を提供することを目的とする。
【課題を解決するための手段】
【０００４】
上記目的を達成するために、請求項１記載の発明は、レジストローラ対を構成する一方のレジストローラの周面に摺接して紙粉を除去する紙粉取りブレードと、該紙粉取りブレードに連設されて除去された紙粉を収容する紙粉回収容器と、を備えた給紙搬送装置において、紙粉回収容器の開口部に向けてエアを吹き付けるエア吹き付け手段を備えたことを特徴とする。
請求項２の発明は、請求項１記載の給紙搬送装置において、前記エア吹き付け手段がエアを吹き付けるタイミングを設定するタイマを備えたことを特徴とする。
請求項３の発明は、請求項１記載の給紙搬送装置において、前記エア吹き付け手段を、エアノズル、エアパイプ、及びエアタンクから構成し、該エアタンクを該エアパイプに対して着脱自在に設けたことを特徴とする。
請求項４記載の発明は、請求項１記載の給紙搬送装置において、表面が粘着性のエアフィルタを吸い込み口に設けたファンを設け、エアフィルタを紙粉回収容器の開口部に臨ませた給紙搬送装置を主要な特徴とする。
請求項５記載の発明は、請求項１記載の給紙搬送装置が搭載された画像形成装置を最も主要な特徴とする。
【発明の効果】
【０００５】
本発明によれば、レジストローラ対に対面して紙粉取り機能を有する紙粉回収容器を配置した給紙搬送装置において、紙粉回収容器の開口部に向けてエアを吹き付けるエア吹き付け手段を備えたことで、紙粉除去を確実に行うことができる。
【発明を実施するための最良の形態】
【０００６】
以下、本発明の実施の形態を図面に従って説明する。
まず第１の実施形態を図１に基いて説明する。図１は本発明の第１の実施形態に係る給紙搬送装置の外観斜視図である。
本発明の給紙搬送装置は、電子写真式画像形成装置の転写部、即ち感光体上のトナー像を用紙上に転写する転写部の上流側に配置されて用紙給紙のタイミングを調整するレジストローラ対における紙粉除去のための構成を備えている。
用紙Ｐは所定の上下間隔を隔てて対向配置された２枚の板からなる上流側搬送ガイド１の間を通過して、モータ２により回転駆動されるレジストロ−ラ対３の間を通過するのであるが、近年、用紙Ｐとしてリサイクルの観点から上質紙よりも再生紙が多用されており、この再生紙はその性質上、紙粉が発生し易いという欠点がある。このような不具合を予防するために、先端縁にてレジストロ−ラ対３に摺接する紙粉取りブレード４−１と、ブレード４−１と連設され全体としてコ字状をなす紙粉回収容器４を設置し、ブレード４−１がレジストロ−ラ対３の表面から掻き落した紙粉をブレード上面を介して紙粉回収容器４に移動させて溜めておくようにしている。
本発明の特徴は、紙粉回収容器４の開口部（ブレード４−１のエッジ部直上位置）にそのほぼ全長に亘って、エアノズル１１の吸引口が対面して設けてある。エアノズル１１はエアパイプ１２の一端に連通して取り付けてある。
またエアパイプ１２の他端には高圧小型のエアタンク１３が取り付けてあり、エアパイプ１２の中間部には電磁バルブ１４が設けてある。電磁バルブ１４の開閉はＣＰＵ（制御部）１５によって制御され、タイマ１６による所定のタイミングで開閉される。
即ち、タイマ１６の計時により予め設定された時間が過ぎると、ＣＰＵ１５は電磁バルブ１４を開放し、エアタンク１３内の高圧エアがエアパイプ１２を通過してエアノズル１１より放出される。このエアにより紙粉回収容器４内の紙粉は拡散され、機械内の気流に流され機外に放出される。エア放出のタイミングは紙粉回収容器４の容積と画像形成頻度に応じて適宜設定すればよい。
このように本実施形態によれば、紙粉回収容器４にエアを吹き付けるため効率よく紙粉を除去することができる。
【０００７】
次に本発明の第２の実施形態（第１の実施形態の変形例）を図２に基いて説明する。図２は本発明の第１の実施形態における変形例に係る給紙搬送装置の外観斜視図である。エアタンク１３は図のように取り外し可能な構成となっている。このようにするとエアがなくなった場合のエアの補充をエアタンク１３の交換によって簡単にできるためメンテナンス性の向上を図ることができる。
次に第３の実施形態を図３に基いて説明する。図３は本発明の第２の実施形態に係る給紙搬送装置の外観斜視図である。粘着性の表面性を持つエアフィルタ２１を吸い込み口に貼り付けたファン２２を設け、エアフィルタ２１を紙粉回収容器４の開口部に臨ませる。圧縮エアがエアノズル１１より吹き出された時、ファン２２を動作させ拡散された紙粉を吸着させる。これにより吸い込んだ紙粉の回収をより簡単にかつ効率的に行うことができる。
【図面の簡単な説明】
【０００８】
【図１】本発明の第１の実施形態に係る給紙搬送装置の外観斜視図である。
【図２】本発明の第１の実施形態における変形例に係る給紙搬送装置の外観斜視図である。
【図３】本発明の第２の実施形態に係る給紙搬送装置の外観斜視図である。
【図４】従来例に係る給紙搬送装置の外観斜視図である。
【符号の説明】
【０００９】
３  レジストローラ対
４  紙粉回収容器
１１  エアノズル(エア吹き付け手段構成要素)
１２  エアパイプ(エア吹き付け手段構成要素)
１３  エアタンク(エア吹き付け手段構成要素)
１６  タイマ
【図１】
2006240754.tif 000003
【図２】
2006240754.tif 000004
【図３】
2006240754.tif 000005
【図４】
2006240754.tif 000006